【事件の表示】
　平成　４年特許願第３５８５８６号「遊技機」拒絶査定不服審判事件〔平成　６年　７月１９日出願公開、特開平　６−１９８０７１〕について、次のとおり審決する。
【結　論】
　本件審判の請求は、成り立たない。
【理　由】
１．手続の経緯
　本願は、平成４年１２月２８日の出願であって、平成１１年１２月２２日付けの審査請求とともにした手続補正について平成１３年７月１３日付けで補正却下の決定がなされ、平成１４年４月１２日付けの第１回の拒絶理由通知に対し平成１４年６月６日付けで手続補正がなされ、ついで平成１４年７月１１日付けの第２回の拒絶理由通知に対し平成１４年９月２４日付けで手続補正がなされ、さらに平成１４年１０月２３日付けの第３回の拒絶理由通知に対し平成１４年１２月２５日付けで手続補正がなされ、平成１５年１月２２日付けで前記第３回の拒絶理由通知に基づいて拒絶査定がなされ、これに対し、平成１５年２月２７日に拒絶査定に対する審判請求とともに手続補正がなされたものである。
　　　　　
２．本願発明
　本願の請求項１及び２に係る発明は、平成１５年２月２７日付け手続補正書の特許請求の範囲の請求項１及び２に記載された事項により特定される「遊技機」にあると認められるところ、その請求項１に係る発明は、以下のとおりのものである。
　【請求項１】球供給皿へ賞球または貸球を排出するための排出制御を行う球排出制御装置と、遊技盤に関する制御を行うと共に賞球排出に関わる信号を上記球排出制御装置へ出力する役物制御装置と、を有する遊技機本体と、
　上記遊技機本体の側方に位置し、有価価値記憶媒体より有価データを読み出し、該読み出した有価データの範囲内で指定された数の貸球の貸出制御を行う球貸制御装置を有する補助枠と、
　を備えた遊技機において、
　上記球排出制御装置と上記球貸制御装置とを送受信可能に接続すると共に、上記球貸制御装置への入力のために用いる球貸操作ボタンおよび有価価値記憶媒体返却ボタンと、上記球貸制御装置により制御される有価価値記憶媒体度数表示器および有価価値記憶媒体による球貸が可能な状態を可視表示する球貸可能状態表示器と、を上記遊技機本体に設け、
　上記球貸制御装置は、
　上記球排出制御装置からの貸球排出可能信号が入力されることを条件に、上記球貸操作ボタンの一回の操作に基づく貸球要求を有効に受け付けると共に、貸球排出要求を示す単位量排出動作要求信号を排出動作の基準となる単位量の貸球排出要求ごとに上記球排出制御装置へ出力し、その後、上記球排出制御装置から当該単位量排出動作要求信号に対する貸球排出条件成立信号が入力されることを条件に、貸球排出制御の開始を指示する貸球指示信号を出力し、貸球排出条件成立信号が入力されない場合には、貸球の排出が不能であるとして、出力した単位量排出要求信号を無効とする構成とし、
　上記球排出制御装置は、
　貸球排出が可能な状態にある場合に貸球排出可能信号を上記球貸制御装置へ出力し、上記球貸制御装置から単位量排出動作要求信号が入力されると、貸球排出が実行可能な状態であることを確認することに基づいて当該単位量排出動作要求信号に対する貸球排出が実行可能な状態であることを示す貸球排出条件成立信号を出力し、その後、上記球貸制御装置より貸球指示信号が入力されると、単位量の貸球排出制御を開始し、貸球排出制御の終了後に貸球排出制御終了信号を出力することで一回の貸球排出を完了する構成としたことを特徴とする遊技機。
　　　　
３．先願明細書に記載された発明
　原査定の拒絶の理由に引用された、本願の出願の日前の他の出願であって、その出願後に出願公開がされた特願平４−１７０５２号（特開平５−２０８０７０号）の願書に最初に添付した明細書又は図面（先願明細書）には、
（ア）「景品玉が打球供給皿５９に払出される」（公開公報３ページ４欄１５，１６行）、「払出制御用マイクロコンピュータ３５０では、入力された賞球個数に相当する個数だけの景品玉を払出制御する」（同１２ページ２１欄６〜８行）、「パチンコ遊技機６０側の払出制御用マイクロコンピュータ３５０に玉払出指令信号が出力されて・・・貸玉額・・・分の遊技玉（パチンコ玉）が打球供給皿５９内に払出される」（同３ページ３欄１６〜２２行）、「遊技領域・・・内に打込まれたパチンコ玉が始動入賞口・・・に入賞すれば・・・その検出信号に基づいて・・・ゲーム制御基板・・・が可変表示装置・・・の可変制御を行なう。この始動入賞・・・の検出信号はゲーム制御基板・・・のゲーム制御用マイクロコンピュータ３７０・・・に入力され」（同５ページ７欄２〜１１行）及び「景品玉払出個数データがゲーム制御用マイクロコンピュータ３７０から払出制御用マイクロコンピュータ３５０に入力されたか否かの判断が行なわれ・・・入力された場合には・・・玉の払出制御に移行する」（同１６ページ２９欄２９〜４１行）の記載から、
打球供給皿５９へ景品玉または貸玉を払出すための払出制御を行う払出制御用マイクロコンピュータ３５０と、遊技盤９６７に関する制御を行うと共に景品玉払出に関わる信号を上記払出制御用マイクロコンピュータ３５０へ出力するゲーム制御用マイクロコンピュータ３７０と、を有するパチンコ遊技機６０が開示されているものと認められること、
（イ）「パチンコ遊技機６０の・・・一側部・・・にはカード処理機６２が・・・設けられている」（公開公報２ページ２欄３８〜４０行）、「カード処理機６２には・・・カードリーダライタ制御部１３４が設けられており・・・カードを挿入すればそのカードに記録されている記録情報が・・・読取られ・・・カード情報に含まれている挿入時のカード残額が残金額表示器（カード残高表示器）５０により表示される」（同２ページ２欄４４行〜３ページ３欄１行）、「カード処理機制御用マイクロコンピュータ３００は、入力信号として、次のような信号が与えられる・・・カードリーダライタ制御部１３４・・・から・・・カード受付信号、カード異常信号、カード処理完了信号が入力される」（同８ページ１３欄１〜２２行）、「カード処理機制御用マイクロコンピュータ３００は・・・払出制御用マイクロコンピュータ３５０に・・・玉貸要求信号を出力する」（同８ページ１３欄３７〜５０行）及び「現在残高が設定額以上であった場合には・・・貸玉額にその設定額をセットする・・・一方、現在残高が設定額未満であった場合には・・・挿入カードによって払出が可能な最高金額すなわち挿入カードの現在残高を貸玉額にセットする」（同１２ページ２２欄２７〜３６行）の記載から、
パチンコ遊技機６０の側方に位置し、カードよりカード残額を読取り、該読取ったカード残額の範囲内で指定された数の貸玉の貸出制御を行うカード処理機制御用マイクロコンピュータ３００を有するカード処理機６２が開示されているものと認められること、
（ウ）「パチンコ遊技機側とカード処理機側との間での信号の送受信を行なう」（公開公報８ページ１４欄１１，１２行）、「玉貸ボタン４４ｃ・・・を押圧操作すれば・・・カード処理機制御用マイクロコンピュータ３００に入力され・・・返却ボタン４２ｃ・・・を押圧操作すれば・・・カード処理機制御用マイクロコンピュータ３００に入力される」（同８ページ１３欄１１〜１９行）、「返却ボタン４２ｃが・・・押圧操作されることにより・・・カードが・・・返却される」（同３ページ３欄３３〜３６行）、「カード処理機制御用マイクロコンピュータ３００は・・・玉貸可表示器４８ｄ、カード残高表示器５０・・・にそれぞれ表示用制御信号を出力する」（同８ページ１３欄３７〜４２行）及び【図１】（同２２ページ）の記載から、
払出制御用マイクロコンピュータ３５０とカード処理機制御用マイクロコンピュータ３００とを送受信可能に接続すると共に、上記カード処理機制御用マイクロコンピュータ３００への入力のために用いる玉貸ボタン４４ｃおよび返却ボタン４２ｃと、上記カード処理機制御用マイクロコンピュータ３００により制御されるカード残高表示器５０およびカードによる玉貸が可能な状態を可視表示する玉貸可表示器４８ｄと、をパチンコ遊技機６０に設ける構成が開示されているものと認められること、
（エ）「カード処理機制御用マイクロコンピュータ３００は、入力信号として、次のような信号が与えられる・・・払出制御用マイクロコンピュータ３５０から・・・払出可能信号、玉貸準備信号、玉貸完了信号・・・が入力される」（公開公報８ページ１３欄１〜２６行）、「払出可能信号の入力がないと判断された場合には・・・カード処理制御が中断され」（同１４ページ２６欄１６〜１８行）、「払出異常があった場合には・・・払出可能信号の出力が停止され」（同１５ページ２７欄３７，３８行）、「１回の玉貸操作により払出される貸玉額」（同４ページ５欄４９，５０行）、「パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額・・・分のパチンコ玉がすべて貸出されたか否かの判断を行ない、未だに貸出されていない未貸出分がある場合にはその未貸出分をすべて貸出すまで前記単位額・・・のパチンコ玉の貸出を繰返し行なう」（同１４ページ２５欄８〜１８行）、「Ｓ８に進み、玉貸操作があったか否かの判断がなされ・・・遊技者が玉貸ボタン４４ｃ・・・を押圧操作すれば・・・Ｓ１５に進み、払出制御用マイクロコンピュータに玉貸要求信号の出力を開始する」（同１２ページ２２欄１６〜４４行）、「払出制御用マイクロコンピュータでは、Ｓ１５による玉貸要求信号を受けて、玉貸が可能な状態であれば玉貸のための準備制御を行なった後にＳ７７によりカード処理機制御用マイクロコンピュータに玉貸準備信号を出力する処理がなされる。カード処理機制御用マイクロコンピュータが・・・玉貸準備信号を受信すれば、Ｓ１７によりＹＥＳの判断がなされ、Ｓ２０により玉貸指令信号を払出制御用マイクロコンピュータに出力し」（同１２ページ２２欄４７〜１３ページ２３欄６行）、「カード処理機側から・・・玉貸指令信号が送信されてくれば・・・Ｓ１０５に進む・・・Ｓ１０５以降の玉の払出制御に移行する」（同１６ページ２９欄２１〜４１行）、「払出制御用マイクロコンピュータから玉貸準備信号が入力されなかった場合にはＳ１９に進み、玉貸要求信号の出力を停止し、貸玉額をクリアする処理がなされ」（同１３ページ２３欄８〜１１行）、【図１０】（同２８ページ）、【図１１】（同２９ページ）、【図１５】（同３０ページ）及び【図１７】（同３１ページ）の記載から、
カード処理機制御用マイクロコンピュータ３００は、払出制御用マイクロコンピュータ３５０からの払出可能信号が入力されることを条件に、玉貸ボタン４４ｃの一回の操作に基づく玉貸要求を有効に受け付けると共に、貸玉払出要求を示す玉貸要求信号を払出動作の基準となる単位量の貸玉払出要求ごとに上記払出制御用マイクロコンピュータ３５０へ出力し、その後、上記払出制御用マイクロコンピュータ３５０から当該玉貸要求信号に対する玉貸準備信号が入力されることを条件に、貸玉の払出制御の開始を指示する玉貸指令信号を出力し、玉貸準備信号が入力されない場合には、貸玉の払出が不能であるとして、出力した玉貸要求信号を停止し、貸玉額をクリアする構成が開示されているものと認められること、
（オ）「払出制御用マイクロコンピュータ３５０は・・・次のような制御信号を出力する・・・カード処理機制御用マイクロコンピュータ３００に、玉貸準備信号、貸玉完了信号、払出可能信号・・・が出力される」（公開公報１０ページ１８欄４２行〜１１ページ１９欄１７行）、「電源が投入され・・・パチンコ遊技機側の払出可能信号が出力される」（同１９ページ３５欄２〜４行）、「払出異常があった場合には・・・払出可能信号の出力が停止され」（同１５ページ２７欄３７，３８行）、「Ｓ８に進み、玉貸操作があったか否かの判断がなされ・・・遊技者が玉貸ボタン４４ｃ・・・を押圧操作すれば・・・Ｓ１５に進み、払出制御用マイクロコンピュータに玉貸要求信号の出力を開始する」（同１２ページ２２欄１６〜４４行）、「玉貸要求信号がカード処理機６２からパチンコ遊技機６０側に出力される」（同１９ページ３５欄１３，１４行）、「払出制御用マイクロコンピュータでは、Ｓ１５による玉貸要求信号を受けて、玉貸が可能な状態であれば玉貸のための準備制御を行なった後にＳ７７によりカード処理機制御用マイクロコンピュータに玉貸準備信号を出力する処理がなされる。カード処理機制御用マイクロコンピュータが・・・玉貸準備信号を受信すれば、Ｓ１７によりＹＥＳの判断がなされ、Ｓ２０により玉貸指令信号を払出制御用マイクロコンピュータに出力し」（同１２ページ２２欄４７〜１３ページ２３欄６行）、「玉貸準備信号がパチンコ遊技機６０側からカード処理機６２側に出力される」（同１９ページ３５欄２１，２２行）、「カード処理機側から・・・玉貸指令信号が送信されてくれば・・・Ｓ１０５に進む・・・Ｓ１０５以降の玉の払出制御に移行する」（同１６ページ２９欄２１〜４１行）、「玉貸指令信号がカード処理機６２側からパチンコ遊技機６０側に出力されたものとされる。この時点からＳ２９に示したタイマＴ３によって計測される玉貸完了信号確認時間ｄ（ｄ≦Ｔ３）が経過したＧの時点で・・・玉貸完了信号がパチンコ遊技機６０側からカード処理機６２側に出力されたものとされる。さらにこの時点から・・・次玉貸要求信号確認時間ｅ・・・だけ経過したＤの時点で玉貸要求信号線がＯＮになり次の玉貸要求信号がカード処理機６２側からパチンコ遊技機６０側に出力されて、前述と同様に玉貸準備信号の出力、玉貸指令信号の出力、玉貸完了信号の出力が繰返される」（同１９ページ３５欄２５〜３７行）、「タイマＴ３は、パチンコ遊技機側での貸玉の払出に要する時間を考慮してたとえば１０ｓｅｃ程度に設定されている」（同１３ページ２３欄４８〜５０行）、【図１０】（同２８ページ）、【図１１】（同２９ページ）、【図１５】（同３０ページ）、【図１７】（同３１ページ）及び【図２１】（同２４ページ）の記載から、
払出制御用マイクロコンピュータ３５０は、貸玉払出が可能な状態にある場合に払出可能信号をカード処理機制御用マイクロコンピュータ３００へ出力し、上記カード処理機制御用マイクロコンピュータ３００から玉貸要求信号が入力されると、貸玉払出が実行可能な状態であることを確認することに基づいて当該玉貸要求信号に対する貸玉払出が実行可能な状態であることを示す玉貸準備信号を出力し、その後、上記カード処理機制御用マイクロコンピュータ３００より玉貸指令信号が入力されると、単位量の貸玉の払出制御を開始し、貸玉の払出制御の終了後に玉貸完了信号を出力することで一回の貸玉払出を完了する構成が開示されているものと認められること、からみて、
総合して、当該先願明細書には、
「打球供給皿５９へ景品玉または貸玉を払出すための払出制御を行う払出制御用マイクロコンピュータ３５０と、遊技盤９６７に関する制御を行うと共に景品玉払出に関わる信号を上記払出制御用マイクロコンピュータ３５０へ出力するゲーム制御用マイクロコンピュータ３７０と、を有するパチンコ遊技機６０と、
　上記パチンコ遊技機６０の側方に位置し、カードよりカード残額を読取り、該読取ったカード残額の範囲内で指定された数の貸玉の貸出制御を行うカード処理機制御用マイクロコンピュータ３００を有するカード処理機６２と、を備えたパチンコ遊技機６０において、
　上記払出制御用マイクロコンピュータ３５０と上記カード処理機制御用マイクロコンピュータ３００とを送受信可能に接続すると共に、上記カード処理機制御用マイクロコンピュータ３００への入力のために用いる玉貸ボタン４４ｃおよび返却ボタン４２ｃと、上記カード処理機制御用マイクロコンピュータ３００により制御されるカード残高表示器５０およびカードによる玉貸が可能な状態を可視表示する玉貸可表示器４８ｄと、を上記パチンコ遊技機６０に設け、
　上記カード処理機制御用マイクロコンピュータ３００は、
　上記払出制御用マイクロコンピュータ３５０からの払出可能信号が入力されることを条件に、上記玉貸ボタン４４ｃの一回の操作に基づく玉貸要求を有効に受け付けると共に、貸玉払出要求を示す玉貸要求信号を払出動作の基準となる単位量の貸玉払出要求ごとに上記払出制御用マイクロコンピュータ３５０へ出力し、その後、上記払出制御用マイクロコンピュータ３５０から当該玉貸要求信号に対する玉貸準備信号が入力されることを条件に、貸玉の払出制御の開始を指示する玉貸指令信号を出力し、玉貸準備信号が入力されない場合には、貸玉の払出が不能であるとして、出力した玉貸要求信号を停止し、貸玉額をクリアする構成とし、
　上記払出制御用マイクロコンピュータ３５０は、
　貸玉払出が可能な状態にある場合に払出可能信号を上記カード処理機制御用マイクロコンピュータ３００へ出力し、上記カード処理機制御用マイクロコンピュータ３００から玉貸要求信号が入力されると、貸玉払出が実行可能な状態であることを確認することに基づいて当該玉貸要求信号に対する貸玉払出が実行可能な状態であることを示す玉貸準備信号を出力し、その後、上記カード処理機制御用マイクロコンピュータ３００より玉貸指令信号が入力されると、単位量の貸玉の払出制御を開始し、貸玉の払出制御の終了後に玉貸完了信号を出力することで一回の貸玉払出を完了する構成としたパチンコ遊技機６０。」を構成とする発明が記載されているものと認められる。
　　　　
４．対比及び判断
　そこで、本願の請求項１に係る発明（前者）と先願明細書に記載された発明（後者）とを比較すると、
後者の「打球供給皿５９」、「景品玉」、「貸玉」、「払出す」、「払出制御」、「払出制御用マイクロコンピュータ３５０」、「払出」、「ゲーム制御用マイクロコンピュータ３７０」、「カード」、「カード残額」、「読取り」、「読取った」、「カード処理機制御用マイクロコンピュータ３００」、「カード処理機６２」、「玉貸ボタン４４ｃ」、「返却ボタン４２ｃ」、「カード残高表示器５０」、「玉貸」、「玉貸可表示器４８ｄ」、「払出可能信号」、「玉貸要求」、「玉貸要求信号」、「玉貸準備信号」、「玉貸指令信号」、「停止し、貸玉額をクリアする」、「玉貸完了信号」及び「パチンコ遊技機６０」がそれぞれの機能に照らし、それぞれ
前者の「球供給皿」、「賞球」、「貸球」、「排出する」、「排出制御」、「球排出制御装置」、「排出」、「役物制御装置」、「有価価値記憶媒体」、「有価データ」、「読み出し」、「読み出した」、「球貸制御装置」、「補助枠」、「球貸操作ボタン」、「有価価値記憶媒体返却ボタン」、「有価価値記憶媒体度数表示器」、「球貸」、「球貸可能状態表示器」、「貸球排出可能信号」、「貸球要求」、「単位量排出動作要求信号」、「貸球排出条件成立信号」、「貸球指示信号」、「無効とする」、「貸球排出制御終了信号」及び「遊技機」に相当し、両者は、その発明の構成要件のすべてにおいて一致するから、実質的に同一発明であると認められる。
　　　　
５．むすび
　以上のとおり、本願の請求項１に係る発明は、先願明細書に記載された発明と同一であり、しかも、本願の請求項１に係る発明の発明者が先願明細書に記載された発明の発明者と同一であるとも、また、本願の出願時に、その出願人が上記他の出願の出願人と同一であるとも認められないので、本願の請求項１に係る発明は、特許法第２９条の２第１項の規定により特許を受けることができない。
　したがって、本願の請求項２に係る発明について検討するまでもなく、本願は拒絶すべきものである。
　よって、結論のとおり審決する。